(57)【要約】【課題】  停電時に、簡単な操作で電子機器内の各回路の動作を制御した省電力モードで二次電池駆動して使用可能な残時間を表示し、停電復帰後は二次電池を急速充電し、充電完了までの時間を表示するバックアップ電源装置を有する電子機器を提供する。【解決手段】  停電時に、終了処理の為の電池容量を除いた残容量で動作可能な残時間と、再起動後に停電が発生しても終了処理可能な残時間を表示する手段と、残時間値により警告を出す手段と、各回路ブロックの動作状態と停止した場合に延長可能な残時間を表示する手段と、前記残時間を長くする為に、使用者が動作不要な回路ブロックを停止させる手段と、停電復帰後に、バックアップ用二次電池を短時間に充電をおこなう急速充電手段と、充電完了までの時間を表示する手段とで構成する。【選択図】  図１
2006136152.tif 000002
【特許請求の範囲】
【請求項１】
停電時には、バックアップ用二次電池の総残容量からシステムが安全に終了するのに必要な電池容量を除いた残容量と、前記二次電池の放電電流値から算出される、バックアップ電源により動作可能な残時間と、
電子機器が終了処理をおこない電源を遮断した後、停電が復帰し再起動した後、再度直ぐに停電が発生してもシステムが安全に終了するのに必要な電池容量を除いた残容量と、前記二次電池の放電電流値から算出される、バックアップ電源により動作可能な残時間の両方、或いは、いずれかを表示装置に表示する手段と、
残容量が少なくなった時には警告を出す手段とを具備することを特徴とするバックアップ電源装置を有する電子機器。
【請求項２】
バックアップ電源動作時は、動作可能な残時間を長くするために、表示装置の表示フレームレートを下げる手段を具備することを特徴とする請求項１のバックアップ電源装置を有する電子機器。
【請求項３】
バックアップ電源動作時は、電子機器の各動作回路ブロック名と、各回路ブロックの動作状態と、各回路ブロックの動作を停止した場合の延長可能な残時間のリストを表示装置に表示する手段と、動作可能な残時間を長くするために、使用者が動作不要な回路ブロックの動作を停止させる手段を具備することを特徴とする請求項１または請求項２のバックアップ電源装置を有する電子機器。
【請求項４】
停電復帰後に、バックアップ用二次電池を短時間に充電をおこなう急速充電手段と、充電中に、充電完了までの時間を表示装置に表示する手段と、充電完了までに再度停電が発生しても安全な作業に限定する手段とを具備することを特徴とする請求項１、請求項２または請求項３のバックアップ電源装置を有する電子機器。
【発明の詳細な説明】
【技術分野】
【０００１】
本発明はバックアップ電源装置を有する電子機器に関するものである。
【背景技術】
【０００２】
従来、バックアップ電源装置を有する電子機器において、停電などにより電力供給されなくなった時にはバックアップ電源装置からの電源供給で動作し、動作中のバックアップ用二次電池の残容量割合や使用可能残時間を表示し、残り容量が少なくなった時には電源を遮断する電子機器がある。
【０００３】
例えば、特許文献１参照。
【特許文献１】特開平０８−０６３４０４号公報
【発明の開示】
【発明が解決しようとする課題】
【０００４】
しかしながら、上記従来例では、停電などにより電力供給されなくなった時にバックアップ電源装置により動作可能な時間表示が有っても目安を把握できる程度で、バックアップ用二次電池の残容量を有効に使うことが困難であり、停電が復帰して電子機器を動作させている時に、再度停電などにより電力供給されなくなった時に電子機器を安全に終了させることが可能かを把握するのも困難であった。
【０００５】
本発明は、停電などにより電力供給されなくなった時には、自動的に、或いは、簡単な操作により電子機器内の各回路ブロックの動作を制御することで省電力モードでのバックアップ電源による動作をおこなうと共に、使用可能な残時間を表示し、停電復帰後は使用可能な機能を制限してバックアップ用二次電池を急速充電すると共に、終了処理可能な充電状態になるまでの時間表示をおこなうバックアップ電源装置を有する電子機器を提供することを目的とする。
【課題を解決するための手段】
【０００６】
上記目的を達成するために、本出願に係る第１の発明は、停電時には、バックアップ用二次電池の総残容量からシステムが安全に終了するのに必要な電池容量を除いた残容量と、前記二次電池の放電電流値から算出される、バックアップ電源により動作可能な残時間と、電子機器が終了処理をおこない電源を遮断した後、停電が復帰し再起動した後、再度直ぐに停電が発生してもシステムが安全に終了するのに必要な電池容量を除いた残容量と、前記二次電池の放電電流値から算出される、バックアップ電源により動作可能な残時間の両方、或いは、いずれかを表示装置に表示する手段と、残容量が少なくなった時には警告を出す手段とを備える。
【０００７】
本出願に係る第２の発明は、第１の発明において、バックアップ電源動作時は、動作可能な残時間を長くするために、表示装置の表示フレームレートを下げる手段を備える。
【０００８】
本出願に係る第３の発明は、第１の発明または第２の発明において、バックアップ電源動作時は、電子機器の各動作回路ブロック名と、各回路ブロックの動作状態と、各回路ブロックの動作を停止した場合の延長可能な残時間のリストを表示装置に表示する手段と、動作可能な残時間を長くするために、使用者が動作不要な回路ブロックの動作を停止させる手段を備える。
【０００９】
本出願に係る第４の発明は、第１の発明、第２の発明または第３の発明において、停電復帰後に、バックアップ用二次電池を短時間に充電をおこなう急速充電手段と、充電中に、充電完了までの時間を表示装置に表示する手段と、充電完了までに再度停電が発生しても安全な作業に限定する手段を備える。
【発明の効果】
【００１０】
以上説明したように、本発明によれば、停電などにより電力供給されなくなった時には、自動的に、或いは、簡単な操作により電子機器内の各回路ブロックの動作を制御することで省電力モードでのバックアップ電源による動作をおこなうと共に、使用可能な残時間を表示し、停電復帰後は使用可能な機能を制限してバックアップ用二次電池を急速充電すると共に、終了処理可能な充電状態になるまでの時間表示をおこなうバックアップ電源装置を有する電子機器を提供することができる。
【発明を実施するための最良の形態】
【００１１】
（第１の実施例）
図１は第１の実施例を説明する図面であり、同図において１はバックアップ電源装置を有する電子機器ａであり、表示装置３と、警告装置４と、バックアップ電源装置５が接続される主回路２により構成される。バックアップ電源装置５はＡＣプラグ６と停電検知回路５−１が接続される電源回路５−２と、充電回路ａ５−３と、電流検出回路５−４が接続される二次電池５−５と、制御回路５−６により構成される。
【００１２】
図２は図１の動作の説明に使用する表示画面例であり、表示画面７に使用可能残時間ａ表示８と、使用可能残時間ｂ表示９が表示されている。
【００１３】
次に、上述したバックアップ電源装置を有する電子機器において、通常動作状態では、表示装置３及び警告装置４が接続された主回路２は、ＡＣプラグ６から電力供給を受けるバックアップ電源装置５により電源が供給され動作している。バックアップ電源装置５では、ＡＣプラグ６から電力供給を受ける電源回路５−２により、入力されたＡＣ一次電源を必要なＤＣ二次電源と、必要に応じてＡＣ二次電源に変換をおこなって主回路２に電源供給をおこなっていると共に、充電回路ａ５−３を通して二次電池５−５の充電をおこなっている。バックアップ電源装置５は、停電などの原因によりＡＣプラグ６に電力が供給されなくなると、停電検知回路５−１により停電が検知され、二次電池５−５によるバックアップ電源動作となる。バックアップ電源動作では、二次電池５−５からの放電電流は電流検出回路５−４で電流値が計測された後、電源回路５−２に供給し主回路２において必要な電源に変換されて主回路２に供給される。制御回路５−６では二次電池５−５の二次電池総容量と、二次電池端子電圧情報、及び、電流検出回路５−４で検出された二次電池放電電流値を管理しており主回路２にデータが転送される。主回路２では、二次電池総容量と、バックアップ電源装置を有する電子機器ａが終了処理するに必要な電源容量との差を算出し、更に、電流検出回路５−４で検出された二次電池放電電流値、及び、二次電池端子電圧情報から、バックアップ電源装置を有する電子機器ａが終了処理をおこなうまでの使用可能残時間ａを算出する。更に、主回路２では、二次電池総容量と、バックアップ電源装置を有する電子機器ａが終了処理するに必要な電源容量２回分との差を算出し、更に、電流検出回路５−４で検出された二次電池放電電流値、及び、二次電池端子電圧情報から、バックアップ電源装置を有する電子機器ａが終了処理をおこなうまでの使用可能残時間ｂを算出する。算出された使用可能残時間ａと使用可能残時間ｂは表示装置３に表示する。図２に示される表示画面７の使用可能残時間ａ表示８に使用可能残時間ａを、使用可能残時間ｂ表示に使用可能残時間ｂを表示している。使用可能残時間ａ、及び、使用可能残時間ｂがそれぞれ予め設定される時間となった時には警告装置４により使用者に対し警告を発する。
【００１４】
使用可能残時間ａと使用可能残時間ｂは両方、或いは、どちらか一方の表示でもよい。
【００１５】
使用可能残時間ｂが殆ど残らない状態で作業を終了しても、バックアップ電源装置を有する電子機器ａが終了処理するに必要な電源容量２回分を残して終了処理が可能なため、停電が復帰して電源が再投入された場合、次の充電完了を待つことなく、再度停電などにより電力供給されなくなっても安全に終了処理をおこなわせることが可能である。
【００１６】
以上説明したように、使用可能な残り時間が表示されるため、有効に動作可能な時間ぎりぎりまで使用することが可能なバックアップ電源装置を有する電子機器を提供することができる。
【００１７】
（第２の実施例）
図３は第２の実施例を説明する図面であり、同図において１０はバックアップ電源装置を有する電子機器ｂであり、表示装置３と、警告装置４と、バックアップ電源装置５とが接続される主回路１１により構成される。主回路１１には表示装置に表示する画像のフレームレートを変換するフレームレート変換回路１２が含まれている。バックアップ電源装置５はＡＣプラグ６と停電検知回路５−１が接続される電源回路５−２と、充電回路ａ５−３と、電流検出回路５−４が接続される二次電池５−５と、制御回路５−６により構成される。
【００１８】
基本動作は、第１の実施例と同じであり、停電などの原因によりＡＣプラグ６に電力が供給されなくなり、停電検知回路５−１により停電が検知され、二次電池５−５によるバックアップ電源動作となると、消費電力を低下させて使用可能時間を長くするために、フレームレート変換回路１２によりフレームレートを低くして表示装置３を駆動している。
【００１９】
表示装置３はバックアップ電源装置を有する電子機器ｂに内蔵される形態でなく、別体となった形態でもよい。
【００２０】
以上説明したように、表示装置に表示するフレームレートを低くすることで消費電力を小さくすることが可能となり使用可能時間を長くすることが可能なバックアップ電源装置を有する電子機器を提供することができる。
【００２１】
（第３の実施例）
図４は第３の実施例を説明する図面であり、同図において１３はバックアップ電源装置を有する電子機器ｃであり、ＵＳＢ回路１４と、ハードディスクドライブＡ１５と、ハードディスクドライブＢ１６と、ボードＡ１７と、ボードＢ１８と、表示装置３と、警告装置４と、バックアップ電源装置５とが接続される主回路２により構成される。バックアップ電源装置５はＡＣプラグ６と停電検知回路５−１が接続される電源回路５−２と、充電回路ａ５−３と、電流検出回路５−４が接続される二次電池５−５と、制御回路５−６により構成される。
【００２２】
図５は図４の動作の説明に使用する表示画面例であり、表示画面１９に回路ブロック名表示２０と、使用状態表示２１と、動作延長可能時間表示２２、動作／非動作状態チェック表示２３と、使用可能残時間表示２４が表示されている。
【００２３】
基本動作は、第１の実施例と同じであり、停電などの原因によりＡＣプラグ６に電力が供給されなくなり、停電検知回路５−１により停電が検知され、二次電池５−５によるバックアップ電源動作となると、バックアップ電源装置を有する電子機器ｃ内の使用していない回路ブロックのスタンバイ状態、或いは、電源を遮断することで消費電力を低下させ使用可能時間を長くするための情報として、ＵＳＢ回路１４と、ハードディスクドライブＡ１５と、ハードディスクドライブＢ１６と、ボードＡ１７と、ボードＢ１８の、使用状態と、動作延長可能時間と、動作／非動作状態チェックとが表示される。図５の表示画面１９内の回路ブロック名表示２０には電源状態を制御される対象となる回路ブロック名を、使用状態表示２１には対象となる回路ブロックが実際の動作状態を、動作延長可能時間表示２２には対象となる回路ブロックをスタンバイ状態、或いは、電源遮断状態にした場合に長くできる使用時間を、動作／非動作状態チェック表示２３には対象となる回路ブロックをスタンバイ状態、或いは、電源遮断状態に設定するかどうかの表示をおこなう。
【００２４】
ＡＣプラグ６より安定に電源が供給される通常の動作状態において、表示画面１９を表示し、対象とする回路ブロックの動作／非動作状態チェック表示２３にチェックを付しておくことで、停電などの原因により電力が供給されなくなりバックアップ電源動作となった時には、自動的に、動作／非動作状態チェック表示２３で設定された省電力状態にすることも可能である。
【００２５】
以上説明したように、使用者が電子機器を構成している回路ブロック構成や各ブロックの消費電流、動作状態等を知らなくても、未使用状態の回路ブロックとその回路ブロックを非動作とした場合に延長される時間がひと目で分かり、簡単な設定をおこなうことで効率のよい動作をさせることが可能なバックアップ電源装置を有する電子機器を提供することができる。
【００２６】
（第４の実施例）
図６は第４の実施例を説明する図面であり、同図において１はバックアップ電源装置を有する電子機器ｄであり、表示装置３と、警告装置４と、バックアップ電源装置５とが接続される主回路２により構成される。バックアップ電源装置５はＡＣプラグ６と停電検知回路５−１が接続される電源回路５−２と、充電回路ａ５−７と、電流検出回路５−４が接続される二次電池５−５と、制御回路５−６により構成される。
【００２７】
図７は図６の動作の説明に使用する表示画面例であり、表示画面２６に充電完了時間２７が表示されている。
【００２８】
次に、上述したバックアップ電源装置を有する電子機器において、停電などの原因により電力が供給されなくなりバックアップ電源動作により使用し続け、使用可能残時間ｂ表示がゼロを切った時点で終了したか、使用可能残時間ａがゼロになり強制的に終了処理がおこなわれ電源がオフされた場合に、停電などの原因で電力の供給が停止していた状態が復旧して電源がオンされた状態では、再度停電などの原因により電力供給が停止した時に終了処理をおこなうだけの二次電池容量が確保できていないため、充電回路ｂ５−７は二次電池５−５を急速充電する。終了処理がおこなえるだけの電池容量になるまで充電が終了したら、通常の充電率での充電となる。また、終了処理がおこなえるだけの電池容量になるまでの充電時間中は、充電完了までの時間を表示装置３に表示する。
【００２９】
終了処理がおこなえるだけの電池容量になるまでの充電期間は使用できる機能に制限をかけることで問題の発生を防ぐ。
【００３０】
例えば、終了処理がおこなえるだけの電池容量になるまでの充電期間中は、停電などにより電源供給されなくなり終了処理が完全におこなえなくとも、データが消失するなどの事故が発生しないように、おこなえる操作をファイルの読み出しなどに限定した機能制限をおこない、ファイルの上書きなどの操作は新しいファイルが完全に記録されてから古いファイルを消去するなどを自動的におこなう。
【００３１】
通常の充電方法として急速充電方式を採用している電子機器であっても、終了処理がおこなえるだけの電池容量になるまでは、通常の急速充電よりさらに大電流で充電を短時間でおこない、そのあと通常の急速充電による充電をおこなうことで、短時間で通常使用状態にすることができる。
【００３２】
以上説明したように、停電復帰後に再度停電が発生しても、終了処理が正常におこなえる状態まで短時間でできると共に、終了処理が正常におこなえる状態になるまでの時間を表示することが可能なバックアップ電源装置を有する電子機器を提供することができる。
【図面の簡単な説明】
【００３３】
【図１】本発明の第１の実施例に係るバックアップ電源装置を有する電子機器を説明する図面である。
【図２】本発明の第１の実施例を説明する表示画面例である。
【図３】本発明の第２の実施例に係るバックアップ電源装置を有する電子機器を説明する図面である。
【図４】本発明の第３の実施例に係るバックアップ電源装置を有する電子機器を説明する図面である。
【図５】本発明の第３の実施例を説明する表示画面例である。
【図６】本発明の第４の実施例に係るバックアップ電源装置を有する電子機器を説明する図面である。
【図７】本発明の第４の実施例を説明する表示画面例である。
【符号の説明】
【００３４】
１  バックアップ電源装置を有する電子機器ａ
２  主回路
３  表示装置
４  警告装置
５  バックアップ電源装置
５−１  停電検知回路
５−２  電源回路
５−３  充電回路ａ
５−４  電流検出回路
５−５  二次電池
５−６  制御回路
５−７  充電回路ｂ
６  ＡＣプラグ
７  表示画面
８  使用可能残時間ａ表示
９  使用可能残時間ｂ表示
１０  バックアップ電源装置を有する電子機器ｂ
１１  主回路
１２  フレームレート変換回路
１３  バックアップ電源装置を有する電子機器ｃ
１４  ＵＳＢ回路
１５  ハードディスクドライブＡ
１６  ハードディスクドライブＢ
１７  ボードＡ
１８  ボードＢ
１９  表示画面
２０  回路ブロック名表示
２１  使用状態表示
２２  動作延長可能時間表示
２３  動作／非動作状態チェック表示
２４  使用可能残時間表示
２５  バックアップ電源装置を有する電子機器ｄ
２６  表示画面
２７  充電完了時間表示
【図１】
2006136152.tif 000003
【図２】
2006136152.tif 000004
【図３】
2006136152.tif 000005
【図４】
2006136152.tif 000006
【図５】
2006136152.tif 000007
【図６】
2006136152.tif 000008
【図７】
2006136152.tif 000009